(57)【特許請求の範囲】
【請求項１】
容器の内周面を洗浄する内面洗浄部を支持する第１支持体と、容器の外周面を洗浄する外面洗浄部を支持する第２支持体と、前記両洗浄部を相対近接操作可能な状態で前記両支持体の基部を接合する把持部とを備えた洗浄具であって、
前記第１支持体に連続する把持部の第１把持部位には、把持部を把持した手の第２指〜第４指のいずれかに対する指掛け部を設けるとともに、前記第２支持体に連続する把持部の第２把持部位には、把持部を把持した手の第１指に対する指当て部が設けられている洗浄具。
【請求項２】
前記把持部の少なくとも端部側の把持部分が第２支持体の存在側とは反対側に屈曲形成されている請求項１記載の洗浄具。
【請求項３】
前記把持部が、把持可能な状態で中間部が折り返し形成され、且つ、横断面形状が両洗浄部の相対近接方向に対して直行する横方向に細長い杆状把持体から構成されている請求項１又は２記載の洗浄具。
【請求項４】
前記外面洗浄部の第２支持体が、前記把持部の第２把持部位に対して回転又は異なる向き姿勢に付け替え可能に構成されている請求項１〜３のいずれか１項に記載の洗浄具。
【請求項５】
前記外面洗浄部が、前記第２支持体に対して回転又は異なる向き姿勢に付け替え可能に構成されている請求項１〜４のいずれか１項に記載の洗浄具。
【請求項６】
前記把持部の第１把持部位には指の滑り止め部が形成されている請求項１〜５のいずれか１項に記載の洗浄具。
【請求項７】
前記第１支持体には、前記内面洗浄部を構成する複数枚の積層されたスポンジ体を圧縮状態で挾持する一対の挾持体と、スポンジ体を貫通した状態で両挾持体を設定挾持間隔に連結する連結手段とが備えられているとともに、前記一方の挾持体が外面洗浄部の洗浄面に対面する状態で前記第１支持体が把持部に接合されている請求項１〜６のいずれか１項に記載の洗浄具。
【請求項８】
前記第２支持体には、可撓性のある外面洗浄部の中間部分を圧縮状態で挿通保持する保持枠が備えられ、この保持枠には、挿通保持された外面洗浄部の中間部分に食い込み可能な抜止め突起が形成されている請求項１〜７のいずれか１項に記載の洗浄具。
【請求項９】
前記外面洗浄部には、洗浄性能の異なる複数の洗浄面が形成されている請求項４又は５記載の洗浄具。
【発明の詳細な説明】
【技術分野】
【０００１】
本発明は、ビールジョッキやコップ等の容器の内周面と外周面とを同時に洗浄可能な洗浄具に関する。
【背景技術】
【０００２】
この種の洗浄具としては、従来から種々の構造のものが開発されているが、その中で代表的な一つは、容器の内周面を洗浄する内面洗浄部を支持する第１支持体と、容器の外周面を洗浄する外面洗浄部を支持する第２支持体と、両洗浄部を相対近接操作可能な状態で前記両支持体の基部を接合する把持部とが備えられているとともに、前記把持部が、内面洗浄部の第１支持体と外面洗浄部の第２支持体とにわたって一体形成され、且つ、弾性復元力に抗して両洗浄部を近接側に操作可能なＵ字状又はそれに近い形状の弾性把持杆から構成されている洗浄具を挙げることができる（例えば、特許文献１、２参照）。
【０００３】
また、他の代表的なものとしては、容器の内周面を洗浄する内面洗浄部の第１支持体の中間部位に、容器の外周面を洗浄する外面洗浄部の第２支持体が取付けられ、前記第１支持体の基部に設けた把持部の先端部には、当該把持部を把持した手の指で掛止可能な指掛け部が設けられた洗浄具を挙げることができる（例えば、特許文献３、４参照）。
【先行技術文献】
【特許文献】
【０００４】
【特許文献１】実公昭５４−００４３５９号公報
【特許文献２】特開２００３−０９３３１９号公報
【特許文献３】実開昭６２−１３０５５８号公報
【特許文献４】特開２０１０−１７８８４４号公報
【発明の概要】
【発明が解決しようとする課題】
【０００５】
従来の前者の洗浄具では、前記弾性把持杆を把持することで内面洗浄部と外面洗浄部とを相対近接移動させて、容器の内周面及び外周面を挾持状態で洗浄することができるものの、弾性把持杆を手のひら全体で把持した状態では、内面洗浄部及び外面洗浄部を第１支持体及び第２支持体の長手方向に素早く動かし難いため、洗浄作業能率が低下する問題がある。
【０００６】
また、後者の洗浄具では、把持部を把持すると同時に、その把持された側の手指を把持部の先端部に設けられている指掛け部に掛止させることができるから、把持部に操作力を加え易く、しかも、把持部に対する手のずれ動きを抑制することができる。反面、内面洗浄部の第１支持体の中間部位に外面洗浄部の第２支持体が取付けられているため、前記内面洗浄部と外面洗浄部との挾持力を容器の汚れに応じて調節操作することができない問題がある。
【０００７】
本発明は、上述の実状に鑑みて為されたものであって、その主たる課題は、把持部に対する手のずれ動きを抑制した状態で把持部に押し引き操作力を的確に加えることができ、しかも、容器の汚れに応じて内面洗浄部と外面洗浄部との挾持力を確実、簡単に調節操作することのできる洗浄具を提供する点にある。
【課題を解決するための手段】
【０００８】
本発明による第１の特徴構成は、容器の内周面を洗浄する内面洗浄部を支持する第１支持体と、容器の外周面を洗浄する外面洗浄部を支持する第２支持体と、前記両洗浄部を相対近接操作可能な状態で前記両支持体の基部を接合する把持部とを備えた洗浄具であって、
前記第１支持体に連続する把持部の第１把持部位には、把持部を把持した手の第２指〜第４指のいずれかに対する指掛け部を設けるとともに、前記第２支持体に連続する把持部の第２把持部位には、把持部を把持した手の第１指に対する指当て部が設けられている点にある。
【０００９】
上記構成によれば、内面洗浄部の第１支持体の基部と外面洗浄部の第２支持体の基部とを接合する把持部を把持したとき、把持した手の第２指〜第４指のいずれかは、把持部の第１把持部位に設けた指掛け部に掛け止められ、把持した手の第１指は、把持部の第２把持部位に設けられた指当て部に当て付けられる。
【００１０】
この把持状況では、把持部に対する手のずれ動きが無く、内面洗浄部及び外面洗浄部を第１支持体及び第２支持体の長手方向に素早く動かすための操作力を的確に付与することができるとともに、両洗浄部の挾持力を調節するための近接操作力も確実、容易に付与することができる。
【００１１】
したがって、把持部に対する手のずれ動きを抑制した状態で把持部に押し引き操作力を的確に加えることができ、しかも、容器の汚れに応じて内面洗浄部と外面洗浄部との挾持力を確実、簡単に調節操作することができる。
【００１２】
本発明による第２の特徴構成は、前記把持部の少なくとも端部側の把持部分が第２支持体の存在側とは反対側に屈曲形成されている点にある。
【００１３】
上記構成によれば、把持部の第１把持部位に設けた指掛け部に、把持部を把持した手の第２指〜第４指のいずれかを掛け止め、且つ、把持部の第２把持部位に設けられた指当て部に、把持部を把持した手の第１指を指当て部に当て付けている把持状態において、把持部の端部側把持部分の屈曲外側面が把持動作によって盛り上がる手の母指球及び小指球で安定的に受止められる。
【００１４】
それ故に、把持姿勢が安定し、且つ、操作力を確実に伝えることができるので、洗浄具の操作性を高めることができる。
【００１５】
本発明による第３の特徴構成は、前記把持部が、把持可能な状態で中間部が折り返し形成され、且つ、横断面形状が両洗浄部の相対近接方向に対して直行する横方向に細長い杆状把持体から構成されている点にある。
【００１６】
上記構成によれば、把持部を構成する杆状把持体が、両洗浄部の相対近接方向で撓み変形し易く、且つ、両洗浄部の洗浄面方向での撓み変形はし難くなるから、把持部の第１把持部位に設けた指掛け部に、把持部を把持した手の第２指〜第４指のいずれかを掛け止め、且つ、把持部の第２把持部位に設けられた指当て部に、把持部を把持した手の第１指を当て付けている状況において、両洗浄部の洗浄面方向でのずれ動きを抑制した状態で指当て部に対して相対近接側への操作力を容易に付加することができる。
【００１７】
本発明による第４の特徴構成は、前記外面洗浄部の第２支持体が、前記把持部の第２把持部位に対して回転又は異なる向き姿勢に付け替え可能に構成されている点にある。
【００１８】
上記構成によれば、容器の外周面と接触する外面洗浄部の洗浄面の洗浄性能が低下してきたとき、把持部の第２把持部位に対して外面洗浄部の第２支持体を回転又は異なる向き姿勢に付け替えることにより、外面洗浄部の他の部位の洗浄面を使用して効率良く洗浄することができる。
【００１９】
本発明による第５の特徴構成は、前記外面洗浄部が、前記第２支持体に対して回転又は異なる向き姿勢に付け替え可能に構成されている点にある。
【００２０】
上記構成によれば、容器の外周面と接触する外面洗浄部の洗浄面の洗浄性能が低下してきたとき、第２支持体に対して外面洗浄部を回転又は異なる向き姿勢に付け替えることにより、外面洗浄部の他の部位の洗浄面を使用して効率良く洗浄することができる。
【００２１】
本発明による第６の特徴構成は、前記把持部の第１把持部位に指の滑り止め部が形成されている点にある。
【００２２】
上記構成によれば、把持部の第１把持部位に設けた指掛け部に、把持部を把持した手の第２指〜第４指のいずれかを掛け止め、且つ、把持部の第２把持部位に設けられた指当て部に、把持部を把持した手の第１指を当て付けている把持状態において、把持部の第１把持部位に形成された滑り止め部に指が当接するから、把持姿勢の安定化によって洗浄具の操作性を高めることができる。
【００２３】
本発明による第７の特徴構成は、前記第１支持体には、前記内面洗浄部を構成する複数枚の積層されたスポンジ体を圧縮状態で挾持する一対の挾持体と、スポンジ体を貫通した状態で両挾持体を設定挾持間隔に連結する連結手段とが備えられているとともに、前記一方の挾持体が外面洗浄部の洗浄面に対面する状態で前記第１支持体が把持部に接合されている点にある。
【００２４】
上記構成によれば、積層された複数枚のスポンジ体を一対の挾持体で挾持することにより、複数のスポンジ体の非挾持側の側辺部分が円周方向に拡散するから、容器の内周面を効率良く洗浄することができるとともに、前記一方の挾持体が外面洗浄部の洗浄面に対面する状態で第１支持体が把持部に接合されているから、一方の挾持体に接するスポンジ体の凹状面内に外面洗浄部の洗浄面を入り込み配置することが可能となる。
【００２５】
それ故に、このスポンジ体の凹状面と外面洗浄部の洗浄面との対向面間に容器の周壁を差し入れるだけで、スポンジ体の凹状面と外面洗浄部の洗浄面とを容器の内外周面に挾持状態で圧接させることができ、洗浄性能を向上することができる。
【００２６】
本発明による第８の特徴構成は、前記第２支持体には、可撓性のある外面洗浄部の中間部分を圧縮状態で挿通保持する保持枠が備えられ、この保持枠には、挿通保持された外面洗浄部の中間部分に食い込み可能な抜止め突起が形成されている点にある。
【００２７】
上記構成によれば、前記第２支持体に外面洗浄部を装着する場合、この外面洗浄部を圧縮して第２支持体の保持枠に挿通するだけの簡単な操作でありながら、圧縮力が解除された外面洗浄部の挿通部分の外方への復元変形に連れて保持枠に形成されている抜止め突起が外面洗浄部の中間部分に食い込み、外面洗浄部を確実に抜止め保持することができる。
【００２８】
本発明による第９の特徴構成は、前記外面洗浄部には、洗浄性能の異なる複数の洗浄面が形成されている点にある。
【００２９】
上記構成によれば、洗浄対象の容器の汚れ具合に応じて、外面洗浄部の複数の洗浄面の中から最も適した洗浄性能の洗浄面を選択することができるから、洗浄作業の能率化を図ることができる。
【図面の簡単な説明】
【００３０】
【図１】本発明の第１実施形態を示す洗浄具の洗浄時の斜視図
【図２】洗浄具の本体側の分解斜視図
【図３】洗浄具全体の分解側面図
【図４】洗浄具全体の縦断面図
【図５】把持状態を示す洗浄具全体の斜視図
【図６】把持部の第２把持部位と第２支持体との連結構造を示す一部切欠き平面図
【図７】本発明の第２実施形態を示す洗浄具の要部の一部切欠き分解図
【図８】本発明の第３実施形態を示す洗浄具の要部の一部切欠き分解図
【発明を実施するための形態】
【００３１】
〔第１実施形態〕
図１〜図６は、ビールジョッキやコップ等の容器１の内周面１ａと外周面１ｂとを同時に洗浄可能な洗浄具を示し、容器１の内周面１ａを洗浄する可撓性の内面洗浄部２を支持する合成樹脂製の第１支持体３と、容器１の外周面１ｂにおける口部側を洗浄する可撓性の外面洗浄部４を支持する合成樹脂製の第２支持体５と、前記両洗浄部２，４を相対近接操作可能な状態で前記両支持体３，５の基部を接合する合成樹脂製の把持部６とが備えられている。
【００３２】
前記把持部６は、片手にて把持可能な大きさで中間部が折り返えされた側面視略「つ」の字状に形成され、且つ、横断面形状が両洗浄部２，４の相対近接方向に対して直行する横方向に細長い略偏平楕円状の杆状把持体（以下、杆状把持体６と記載する）から構成されているとともに、この杆状把持体６の内側面の幅方向中央位置には、当該杆状把持体６の全長にわたって横断面形状が略半円形状の補強リブ７が突出形成されている。
【００３３】
前記杆状把持体６の上下方向で対面する第１・第２把持部位６Ａ，６Ｂのうち、第１支持体３に連続する下方側の第１把持部位６Ａの下面には、杆状把持体６を把持した手の第２指を主に対象としたトリガー状の指掛け部８と、杆状把持体６を把持した手の第３指及び第４指を主に対象とした指の滑り止め部９とが一体形成されている。
【００３４】
尚、前記杆状把持体６の両第１・第２把持部位６Ａ，６Ｂ間に、杆状把持体６を把持した手の第２指を入れた把持状態では、前記指掛け部８に、杆状把持体６を把持した手の第３指を無理なく掛けることができる。
さらに、両第１・第２把持部位６Ａ，６Ｂ間に、杆状把持体６を把持した手の第２指及び第３指を入れた把持状態においては、前記指掛け部８に、杆状把持体６を把持した手の第４指を掛けることが可能である。
【００３５】
前記第２支持体５に連続する杆状把持体６の上方側の第２把持部位６Ｂの上面で、指掛け部８よりも若干前方に偏倚した部位には、杆状把持体６を把持した手の第１指に対する凹状の滑らかな押圧操作面１０ａを備えた指当て部１０が一体的に隆起形成されている。
【００３６】
前記指掛け部８から杆状把持体６の後端までの指当て面６ａの長さが、当該杆状把持体６を把持した手の第３指から第５指を当て付け可能な長さに構成されているとともに、杆状把持体６の端部側において第１・第２把持部位６Ａ，６Ｂを繋ぐＵ字状把持部分６Ｃが第２支持体５の存在側とは反対側に略４５度の傾斜角度で屈曲形成されている。
【００３７】
そのため、杆状把持体６を把持した手の第１指を指当て部１０に、第２指を指掛け部８にそれぞれ当て付けた把持状態においては、指当て面６ａの前半側の水平指当て面部分に第３指が当て付けられ、前記Ｕ字状把持部分６Ｃ側となる後半側の傾斜指当て面部分には第５指が当て付けられ、更に、前半側の水平指当て面部分と後半側の傾斜指当て面部分との屈曲箇所には第４指が当て付けられるように構成されている。
【００３８】
また、杆状把持体６を把持した手の第１指を指当て部１０に、第２指を指掛け部８に、第３指〜第５指を指当て面６ａにそれぞれ当て付けた把持状態では、杆状把持体６のＵ字状把持部分６Ｃの屈曲外側面６ｂが把持動作によって盛り上がる手の母指球及び小指球で安定的に受止められる。
【００３９】
前記滑り止め部９は、杆状把持体６を把持した手の第１指を指当て部１０に、第２指を指掛け部８に、第３指〜第５指を指当て面６ａにそれぞれ当て付けた把持状態において、指当て面６ａにおける第３指との当接相当箇所及び第３指と第４指との隣接間相当箇所の各々に、幅方向に沿う楕円又は長円形状の滑り止め突起９ａ，９ｂを一体形成して構成されている。
【００４０】
前記内面洗浄部２は、洗浄対象の容器１の内径よりも少し大きな横幅寸法で直方体形状に形成された同じ厚みの複数枚（当該実施形態では３枚）のスポンジ体２Ａ，２Ｂを積層して構成されており、この積層状態にあるスポンジ体２Ａ，２Ｂの幅方向中央部を第１支持体３で挾持することにより、スポンジ体２Ａ，２Ｂの幅方向両側の非挾持部分が円周方向に変形する。
【００４１】
スポンジ体２Ａ，２Ｂが三枚の場合では、積層方向の中央に位置するスポンジ体２Ａが略直線状に維持され、積層方向の両側に位置するスポンジ体２Ｂが中央のスポンジ体２Ａから離れる側にＵ字状又はそれに近い形状に変形する。
【００４２】
前記第１支持体３は、積層されたスポンジ体２Ａ，２Ｂを圧縮状態で挾持する上下一対の帯板状の挾持体３Ａ，３Ｂと，スポンジ体２Ａ，２Ｂを貫通した状態で両挾持体３Ａ，３Ｂを設定挾持間隔に連結する連結手段３Ｃとから構成されているとともに、上方側の挾持体３Ａの基部側部位が外面洗浄部４の洗浄面４ａ、４ｂの一方に対面する状態で両挾持体３Ａ，３Ｂが杆状把持体６の第１把持部位６Ａの先端にＵ字状に一体形成されている。
【００４３】
前記上方側の挾持体３Ａを外面洗浄部４の洗浄面４ａ、４ｂの一方に対面配置することにより、上方側の挾持体３Ａに接するスポンジ体２Ｂの凹状面２ｂ内に外面洗浄部４の洗浄面４ａ、４ｂの一方を入り込み配置することが可能となる。
【００４４】
それ故に、このスポンジ体２Ｂの凹状面２ｂと外面洗浄部４の洗浄面４ａ、４ｂの一方との対向面間に容器１の周壁を差し入れるだけで、スポンジ体２Ｂの凹状面２ｂと外面洗浄部４の洗浄面４ａ、４ｂの一方とを容器１の内周面１ａ及び外周面１ｂに挾持状態で圧接させることができ、洗浄性能を向上することができる。
【００４５】
前記両挾持体３Ａ，３Ｂの設定挾持間隔がスポンジ体２Ａ、２Ｂの一枚の厚みよりも小に構成されているとともに、前記連結手段３Ｃが、両挾持体３Ａ，３Ｂの複数箇所（当該実施形態では二箇所）に形成された貫通孔３ａ、３ｂと、下方側の挾持体３Ｂの貫通孔３ｂからスポンジ体２Ａ、２Ｂを貫通して上方側の挾持体３Ａの貫通孔３ａに挿通操作可能で、且つ、貫通孔３ａ，３ｂの挿通時にスリット３ｇの範囲内で弾性復元力に抗して縮径可能な無理嵌め構造の係止爪部３ｄを先端部に備えた合成樹脂製の連結ピン３ｅとから構成されている。
【００４６】
前記両挾持体３Ａ，３Ｂの貫通孔３ａ、３ｂに連結ピン３ｅを挿通操作したとき、連結ピン３ｅの頭部３ｆが下方側の挾持体３Ｂの外側面における貫通孔３ｂの周縁に当接し、連結ピン３ｅの係止爪部３ｄが上方側の挾持体３Ａの外側面における貫通孔３ａの周縁に係合し、両挾持体３Ａ，３Ｂが設定挾持間隔で連結される。
【００４７】
前記外面洗浄部４は、軟質スポンジ４Ａの厚み方向一側面に、天然繊維又は合成繊維及びそれらを混合した混合繊維を基材としてシート状に構成された研磨性能の高い不織布４Ｂを貼着して第１洗浄面４ａを構成し、天然繊維又は合成繊維及びそれらを混合した混合繊維を基布として多数の短繊維を織成又は編成してあるシート状のブラシ毛４Ｃを貼着して、前記第１洗浄面４ａの洗浄性能とは異なる第２洗浄面４ｂを構成してある。
【００４８】
前記第２支持体５には、外面洗浄部４の軟質スポンジ４Ａにおける厚み方向の中間部分を圧縮状態で挿通保持する保持枠５Ａが備えられ、この保持枠５Ａの内側面の複数箇所（当該実施形態では３箇所）には、挿通保持された外面洗浄部４の軟質スポンジ４Ａの中間部分に食い込み可能な先鋭な抜止め突起５Ｂが形成されている。
【００４９】
前記外面洗浄部４の輪郭形状及び第２支持体５の保持枠５Ａの輪郭形状は略五角形に構成され、前記保持枠５Ａの内面寸法は、軟質スポンジ４Ａを圧縮状態で保持する分だけ外面洗浄部４の外面寸法よりも小に構成されている。
【００５０】
前記第２支持体５の保持枠５Ａと杆状把持体６の第２把持部位６Ｂとを相対回転自在に連結する第１連結部１１が設けられている。
この第１連結部１１は、第２支持体５の保持枠５Ａの底辺側中央位置において一体的に突出形成された係合穴１１Ａ付きの連結筒部１１Ｂと、この連結筒部１１Ｂの係合穴１１Ａ内の小径係止部１１ａに対して無理嵌め状態で押し込み係合可能な環状係止溝１１ｂを備えた係合部１１Ｃとから構成されている。
【００５１】
尚、前記連結筒部１１Ｂ側の小径係止部１１ａと係合部１１Ｃ側の環状係止溝１１ｂとの抜止め係合力を高める場合には、前記係合部１１Ｃに、連結手段３Ｃの連結ピン３ｅに形成されているスリット３ｇと同様なスリットを形成して、係合穴１１Ａ内の小径係止部１１ａへの挿入時に係合部１１Ｃがそれ自身の弾性復元力に抗して縮径し、且つ、通過直後に弾性復元力で拡径して小径係止部１１ａと環状係止溝１１ｂとが抜止め係合するように構成してもよい。
【００５２】
〔第２実施形態〕
図７は、前記第２支持体５の保持枠５Ａを杆状把持体６の第２把持部位６Ｂに対して異なる向き姿勢に付け替え可能に連結する第２連結部１２を設けてある洗浄具の別の実施形態を示す。
前記第２連結部１２は、第２支持体５の保持枠５Ａの底辺側中央位置に、係止周溝１２ａを備えた横断面形状が正方形状の連結角軸１２Ａを形成するとともに、杆状把持体６の第２把持部位６Ｂには、連結角軸１２Ａが９０度単位で差し替え可能な状態で嵌合する連結角穴１２Ｂと、当該連結角穴１２Ｂに嵌合連結された連結角軸１２Ａの係止周溝１２ａに係合するボール１２Ｃと、このボール１２Ｃを係合方向に付勢するバネ１２Ｄ、及び、バネ１２Ｄの上端を受止める状態で指当て部１０に螺合装着されているキャップ１２を設けて構成されている。
【００５３】
そのため、当該実施形態では、前記キャップ１２の上面が、杆状把持体６を把持した手の第１指に対する指当て部１０の押圧操作面１０ａに構成されている。
【００５４】
尚、その他の構成は、第１実施形態で説明した構成と同一であるから、同一の構成箇所には、第１実施形態と同一の番号を付記してそれの説明は省略する。
【００５５】
〔第３実施形態〕
図８は、前記外面洗浄部４を、杆状把持体６の第２把持部位６Ｂに一体形成された第２支持体５に対して回転可能に連結する第３連結部１３を設けてある洗浄具の別の実施形態を示す。
前記第３連結部１３を構成するに、前記第２支持体５を、先端に雄ネジ１３ａを備えた横断面形状が円形の支持軸１３Ａから構成するとともに、前記外面洗浄部４の軟質スポンジ４Ａには、支持軸１３Ａに相対回転自在に外嵌される円筒状の連結筒１３Ｂを貫通状態で設けるとともに、軟質スポンジ４Ａの連結筒１３Ｂを貫通して突出する支持軸１３Ａの雄ネジ１３ａには、座金１３Ｃを介して外面洗浄部４の抜け出しを阻止するナット１３Ｄが螺合されている。
【００５６】
尚、その他の構成は、第１実施形態で説明した構成と同一であるから、同一の構成箇所には、第１実施形態と同一の番号を付記してそれの説明は省略する。
また、第３実施形態の変形例として、前記支持軸１３Ａを横断面形状が正方形の角軸に形成するとともに、前記連結筒１３Ｂを支持軸１３Ａに９０度単位で差し替え可能な角筒状に形成して、前記外面洗浄部４を、第２支持体５である支持軸１３Ａに対して異なる向き姿勢に付け替え可能に構成してもよい。
【００５７】
〔その他の実施形態〕
（１）上述の各実施形態では、前記外面洗浄部４を、容器１の外周面１ｂにおける口部側部位を洗浄対象としているために、内面洗浄部２よりも短い大きさに構成したが、この外面洗浄部４を内面洗浄部２と同じ又は略同じ長さに構成してもよい。
【００５８】
（２）上述の各実施形態では、前記外面洗浄部４を、軟質スポンジ４Ａの厚み方向の両側面に、シート状の不織布４Ｂとシート状のブラシ毛４Ｃとを貼り付けて構成したが、一つの洗浄面が軟質スポンジ４Ａの一側面で構成されるように、軟質スポンジ４Ａの他側面にのみシート状の不織布４Ｂ又はシート状のブラシ毛４Ｃを貼着してもよい。
また、前記内面洗浄部２及び外面洗浄部４を洗浄ブラシから構成してもよい。
【００５９】
（３）洗浄性能の異なる複数種類の外面洗浄部４を各別に支持する複数の第２支持体５を準備し、これら第２支持体５を、洗浄対象の容器１の汚れ状況に応じて杆状把持体６の第２把持部位６Ｂに付け替え可能に構成してもよい。
また、洗浄性能の異なる複数種類の内面洗浄部２を各別に支持する複数の第１支持体３を準備し、これら第１支持体３を、洗浄対象の容器１の汚れ状況に応じて杆状把持体６の第１把持部位６Ａに付け替え可能に構成してもよい。
【００６０】
（４）上述の第１実施形態では、前記把持部６の少なくとも端部側の把持部分６Ｃを第２支持体５の存在側とは反対側に屈曲形成したが、前記把持部６を直線状のＵ字状に構成してもよい。
前記把持部６としては、前記両洗浄部２，４を相対近接操作可能な状態で前記両支持体３、５の基部を接合することのできるものであれば、如何なる把持構造に構成してもよい。
【００６１】
（５）上述の第１実施形態では、前記外面洗浄部４の輪郭形状及び第２支持体５の保持枠５Ａの輪郭形状を略五角形に構成したが、矩形や円形等の他の輪郭形状に構成してもよい。
【産業上の利用可能性】
【００６２】
以上説明したように、把持部に対する手のずれ動きを抑制した状態で把持部に押し引き操作力を的確に加えることができ、しかも、容器の汚れに応じて内面洗浄部と外面洗浄部との挾持力を確実、簡単に調節操作することができる洗浄具を提供することができる。
【符号の説明】
【００６３】
１      容器
１ａ    内周面
１ｂ    外周面
２      内面洗浄部
２Ａ    スポンジ体
２Ｂ    スポンジ体
３      第１支持体
３Ａ    挾持体
３Ｂ    挾持体
３Ｃ    連結手段
４      外面洗浄部
４ａ    洗浄面（第１洗浄面）
４ｂ    洗浄面（第２洗浄面）
５      第２支持体
５Ａ    保持枠
５Ｂ    抜止め突起
６      把持部（杆状把持体）
６Ａ    第１把持部位
６Ｂ    第２把持部位
６Ｃ    把持部分（Ｕ字状把持部分）
８      指掛け部
９      滑り止め部
１０    指当て部
【要約】
【課題】把持部に対する手のずれ動きを抑制した状態で把持部に押し引き操作力を的確に加えるとともに、容器の汚れに応じて内面洗浄部と外面洗浄部との挾持力を確実、簡単に調節操作する。
【解決手段】容器１の内周面１ａを洗浄する内面洗浄部２を支持する第１支持体３と、容器１の外周面１ｂを洗浄する外面洗浄部４を支持する第２支持体５と、両洗浄部２，４を相対近接操作可能な状態で前記両支持体３，５の基部を接合する把持部６とを備えた洗浄具であって、第１支持体３に連続する把持部６の第１把持部位６Ａには、把持部６を把持した手の第２指〜第４指のいずれかに対する指掛け部８を設けるとともに、第２支持体に連続する把持部６の第２把持部位６Ｂには、把持部６を把持した手の第１指に対する指当て部１０が設けられている。
【選択図】図１【図１】
0005149982.tif 000002
【図２】
0005149982.tif 000003
【図３】
0005149982.tif 000004
【図４】
0005149982.tif 000005
【図５】
0005149982.tif 000006
【図６】
0005149982.tif 000007
【図７】
0005149982.tif 000008
【図８】
0005149982.tif 000009